(57)【特許請求の範囲】
【請求項１】
盲蓋が付設されたチューブ容器の口栓部に螺合されるとともに、天板部に下方に伸びる円柱状または円筒状の軸部分が具備され、チューブ容器内に充填された内溶液を初めて外部へ取り出す際に、前記軸部分を前記口栓部側に接近させて前記盲蓋に排出通路用の孔を形成する穿孔具が具備された穿孔具付きキャップにおいて、
前記軸部分には、先端に片側から斜めに傾斜した直線状の１つの傾斜切断面が形成されているとともに、この直線状の１つの傾斜切断面に、複数の突起が不均等に散在して設けられていることを特徴とする穿孔具付きキャップ。
【請求項２】
前記直線状の１つの傾斜切断面に、当該傾斜切断面の一部に開口する溝を少なくとも１つ形成したことを特徴とする請求項１に記載の穿孔具付きキャップ。
【発明の詳細な説明】
【０００１】
【発明の属する技術分野】
本発明は穿孔具付きキャップに関し、詳しくは、盲蓋が付設された容器を開口する為の穿孔具付きキャップに関する。
【０００２】
【従来の技術】
従来から、接着剤、薬剤あるいは化粧品などが充填されるチューブ容器の中には、容器本体の口部に盲蓋を付設して内溶液の密封を図るとともに、この容器本体の口部に螺合されるキャップに、上記盲蓋に孔を開けるための穿孔具を付設したものがある。
【０００３】
例えば、図１１に示した実公昭５８−２１３９６号公報の穿孔具付きキャップでは、キャップ１の上面中央に、チューブ容器２の天井部に設けられたアルミニウムなどからなる盲蓋３を穿孔するための穿孔具として、三角錐形状の軸部分４が一体に具備されており、使用開始時に、キャップ１のねじ部をチューブ容器２側にさらに螺進させることにより、盲蓋３に内溶液排出用の開口部を形成する。
【０００４】
一方、上記公報とは別に他の穿孔具付きキャップの中には、前記キャップ１を取り付けた状態で内溶液を外部へ排出できるように、軸部分４に直線状またはＬ字状の貫通路を予め形成したものもある（例えば、実公昭５８−３７８１４号公報等参照）。この種の穿孔具付きキャップでは、初めて使用する際にキャップ１をチューブ容器２側に螺進させながら押し込むと、軸部分４が盲蓋３に衝突してここに開孔が形成され、さらに、軸部分４に上記の貫通路が形成されていることから、チューブ容器２を握り締めることにより、内溶液をその孔から外部に排出することができる。
【０００５】
【発明が解決しようとする課題】
ところで、図１１に示された従来の穿孔具付きキャップ１では、図１２に示されたように開口部が中央の一点から押し開かれることに起因して、破断された開口部５の破れ方例えば、破断線の走り方が一定せず、安定しないという問題が伴った。
【０００６】
一方、従来の穿孔具付きキャップを締めた状態で内溶液を排出できるようにした後者の穿孔具付きキャップの場合には、例えば盲蓋３の周囲が完全には切られずにその一部がチューブ容器２側につながっていると、そのつながった舌片が内溶物の押し出しとともに揺れ動くため、軸部分４に形成された貫通路を塞いでしまうことがあり、結果として、接着剤等のスムースな排出を妨げてしまうという問題があった。
【０００７】
他方、盲蓋３が多数の小片に破断されてしまった場合には、それらの小片が内溶液内に混入してしまうこともあった。
本発明は、このような問題に鑑みてなされたもので、盲蓋３に開口が形成された際に、盲蓋３を構成しているアルミニウム等の盲蓋構成部材が接着剤等に混入する事態、排出通路を塞ぐ事態を防止できる穿孔具付きキャップを提供することを目的とする。
【０００８】
【課題を解決するための手段】
本発明は、キャップに具備される穿孔具(軸部)の先端の形状をその長手方向に対して斜交する傾斜切断平面とした。この傾斜切断平面が具備されたキャップを押し込む方向に螺進させることによって、盲蓋にはその中央の一点から放射状に押し開かれる開口部が形成されるのではなく、盲蓋の外周部が一部残された略円板状の舌片を形成することができ、しかもこの舌片が天板部に設けられた軸部分の周面に沿って容器へ向けて垂下させる(曲り込ませる)ことができる。
【０００９】
本発明の効果を実現させる為には、下記の構成が採用される：
(１)  盲蓋が付設されたチューブ容器の口栓部に螺合されるとともに、天板部に下方に伸びる円柱状または円筒状の軸部分が具備され、チューブ容器内に充填された高粘度物質からなる内溶液を初めて外部へ取り出す際に、前記軸部分を前記口栓部側に接近させて前記盲蓋に排出通路用の孔を形成する穿孔具が具備された穿孔具付きキャップにおいて、
前記軸部分には、先端に斜めに傾斜した直線状の傾斜切断面が形成されていることを特徴とする穿孔具付きキャップ。
(２)前記直線状の傾斜切断面に、複数の突起が不均等に散在して設けられていることを特徴とする前記項１に記載の穿孔具付きキャップ。
(３)前記直線状の傾斜切断面に、当該傾斜切断面の一部に開口する溝を少なくとも１つ形成したことを特徴とする前記項１に記載の穿孔具付きキャップ。
【００１０】
【発明の実施の形態】
本発明では、キャップの中段付近に位置する天板部の下面から下方に向けて形成された軸部分を中空の円柱状または円筒状に形成し、この軸部分の先端域に長手方向に対して斜交する傾斜切断平面を形成させている。また、穿孔によって形成される略円板状の舌片が仮に完全に切り離されたとしても、傾斜切断平面に複数の突起が不等間隔で形成されていて、切断された舌片が傾斜切断平面に密着することが阻止される寄与で、貫通路が塞がれる虞は殆ど無い。この突起は１個又は２個でも足りるが、好ましくは３個設けられていることが良い。即ち、このような突起が傾斜切断平面に形成されることによって、高粘度物質が流出する為の間隙が形成される結果、この間隙が流出用の通路を確保する役に立つ。
【００１１】
【実施例】
以下、図面を参照しながら本発明の実施例(態様)について説明する。
図１、図２及び図３は本発明に係る穿孔具付きキャップの側面見取り図、その縦断面図及びその底面図をそれぞれ示す。本発明の図面における「上下左右手前奥」等は説明の便宜上の表現である。
【００１２】
本発明の穿孔具付きキャップ１０では、大径の筒部１１の上部に小径の筒部１２が連設され、大径の筒部１１の内周面と小径の筒部１２の外周面とには、それぞれ雄ねじ１３及び１４が形成されている。雄ねじ１４は、大きな螺旋に形成されている。
【００１３】
大径の筒部１１の天板部であって小径の筒部１２の基板である天板部１５の下面中央には、下方に垂下する形態で略円筒状又は略円柱状の軸部分１６が形成されている。この軸部分１６の先端域は長手方向に対して斜交する傾斜切断平面１７に形成されている。さらに、軸部分１６の内部には長手方向へ走る貫通路１８が形成され、この貫通路１８は、小径の筒部１２に形成された空所１９を介して外部と連通している。
【００１４】
大径の筒部１１の裾部は下方に近づくに伴って、若干外方に拡開しており、その薄肉に形成された下端部１１bの内面には、ラチェット２０が形成されている。このラチェット２０によって、一方向へのみの回転が可能になっている。また、上記の軸部分１６の傾斜切断平面１７には、図４に示されたように、３個の突起２１、２２及び２３が相互に不等間隔に散在して形成されている。
【００１５】
このように形成された穿孔具突きキャップ１０はその材質としてポリエチレン、ポリプロピレン及びナイロンの少なくとも何れか等から選ばれた適宜のプラスチック材から一体に成形されている。次に、この穿孔具付きキャップ１０は図５に示されたように例えば、接着剤などの高粘度物質が充填されたアルミニウム製のチューブ容器３０の口栓部３１の外側に螺合される。
【００１６】
ここで、チューブ容器３０の口栓部３１には予め盲蓋３２が付設されている。この盲蓋３２によって、未使用状態においては内容物は大気に触れずに、密封状態に管理される。
【００１７】
チューブ状容器３０内に接着剤などの高粘度物質が充填された後に、出荷に備えてキャップ１０を螺着する場合には、図５に示されたように、軸部分１６の傾斜切断平面１７を盲蓋３２から隔離させて、軸部分１６が盲蓋３２に接触又はそれを穿孔することを防ぐ。この目的の為には、後掲の図１０に示されたスペーサー３７が有用である。
【００１８】
そして、使用者がこのチューブ容器３０内の接着剤等を初めて使用する場合には、図６に示されたように、本発明のキャップ１０を締め込む方向へ回転させながら押し込んで、チューブ容器３０側に接近させる。遂に、傾斜切断平面１７が盲蓋３２に到達し、ここを穿孔即ち開口を形成する。
【００１９】
なお、傾斜切断平面１７は缶切りで缶詰を切る場合のように、盲蓋３２の外周面を一点から順番に切開いて行く結果、図７に示されたように切出された舌片３３は盲蓋３２に一部分繋がっており、盲蓋３２から完全に切離されることが防止される。
【００２０】
しかも、切出された舌片３３は図６に示されたように、軸部分１６の外周面と口栓部３１との間の隙間に押さえ込まれる。したがって、この舌片３３が貫通路１８入口の開口を塞ぐ事態が防止される。なお、万が一、この舌片３３が盲蓋４から完全に切離された場合には、この舌片３３が収容された高粘度物質の排出に伴って浮遊する事態も生じ得るが、この傾斜切断平面１７の下端には、前述された突起２１、２２及び２３が散在状態で形成されていることから、図８に示されたように傾斜切断平面１７表面と舌片３３との間には間隙Ｓが必ず形成されることになる。その結果、収容された高粘度物質をこの間隙Ｓから貫通路１８を経由して器外へ排出することができる。したがって、内容物の取出しが妨げられる虞は無い。
【００２１】
本発明の穿孔具付きキャップ１０では、チューブ容器３０の盲蓋３２に一旦穿孔すると、この孔(開口)は穿たれた儘の状態に留まる。従って、不使用時には、この開口を閉じておくことが好ましい。その対策として、小径の筒部１２の雄ねじ１４に、別の小さなキャップ３５を冠装することが好ましい。更に、小キャップ３５の最奥部にその断面が略「Ｈ」字型の軟質材料製ガスケット３６を内嵌することが好ましい。このガスケット３６はその下面が本発明のキャップ１０を構成する小径部１２の上端(開口端)縁にそれを包み込む様に密着することによって、使用時以外に内溶液が外気に接触する事態も、外部へ流出する事態も防止することができる。
【００２２】
本発明の穿孔具付きキャップ１０がチューブ容器３０に冠装されて出荷又は輸送(搬送)される場合には、図１０に「３７」として表示されている様なスペー サーを容器３０の肩部と本発明のキャップにおける大径部１１との間に嵌装することが好ましい。このスペーサー３７は不時の誤使用を避ける為に有用である。
【００２３】
このスペーサー３７は通常の貯蔵及び輸送形態においては仲々外れない程度に嵌装されていることが当然に要求される。図１０の形態においては、部材３７が短い大径環と短い小径環との接合による段落とし環(段落とし筒)である。
【００２４】
このスペーサー３７の機能を十分に発揮させる為には、十分な剛性及び耐衝撃性を備えていることが重要である。その種の材料としては結晶性の熱可塑性樹脂が好ましく、例えばポリエチエレン、ポリプロピレン、ポリアミド樹脂及びポリエチエレンテレフタレート樹脂等を挙げることができる。これらの樹脂材料の中では、その性状に比して安価な点で、ポリエチエレン及びポリプロピレンが好ましい。
【００２５】
＜本発明の変形態様＞
以上、本発明の実施例について説明したが、本発明は上記実施例に何ら限定されない。例えば上記実施例に対して、下掲の様な変更を加えた態様(変形態様)も本発明の技術的範囲内である：
(i)軸部分１６内部に貫通路１８が予め形成されたキャップが示されているが、本発明は従来のキャップ例えば図１１に示された様な貫通路１８がその内部に形成されていないキャップにも適用することができる。即ち、上記実施例の態様では軸部分１６は円筒状に形成されているが、この軸部分１６は円柱状（中実）であっても良い。その場合には、本発明のキャップ１０を穿孔(開口又は開封)後にチューブ状容器３０から抜き出して、収容されている高粘度物質を注ぎ出す等の手順が一般には採用される。
【００２６】
さらに、上記実施例では傾斜切断平面１７に３個の突起が散在状態で設けられているが、この突起の個数は３個に限定されない。また、突起を設ける代わりの手段として、図９に示されたように傾斜切断平面１７の貫通路１８から軸部分１６の外周へ向けて外部に開口する溝３４が１本又は２本以上形成されることもできる。このような溝３４を設ければ、仮に完全に切り離された舌片３３が貫通路１８入口の開口を覆ってこれを塞ぐ事態が生じても、図８の場合と同じように間隙Ｓが形成される寄与で、高粘度物質の排出が妨げられる虞は殆ど無い。また、上記の突起２１、２２及び２３と溝３４とを併設することは好ましい。
【００２７】
また、図１０に示された様に、軸部分１６の基点側即ち天板部１５の下面に多孔体ガスケットを位置させて気密性(水密性)を確保することもできる。この多孔体ガスケットを形成する材料としては、軟質弾性重合体材料例えば、ゴム類、熱可塑性エラストマー又は熱可塑性樹脂等を挙げることができる。
【００２８】
【発明の効果】
以上説明したように、本発明に係る穿孔具付きキャップによれば、下掲の諸効果を奏することができる：
(１)その軸部分の下端部に傾斜切断平面が形成されている寄与で、盲蓋を切り開く状態を略一定にすることができる。
(２)切開かれた舌片が、完全に切断されてしまうことが防止されるので、貫通路が形成されたキャップに適用されても、舌片が貫通路を塞ぐ事態を防止することができる。したがって、収容された高粘度物質の排出は殆ど妨げられない。
(３)傾斜切断平面に複数の突起を形成させれば、この突起の頂部と舌片との間に間隙が確保されるので、仮に舌片が完全に切り離された場合であっても、貫通路が完全に塞がれてしまう事態は生じ難い。
(４)傾斜切断平面に溝を形成する場合にも同様に、この溝によって間隙が形成されるので、収容された高粘度物質の排出が妨げられる虞は生じない。
【図面の簡単な説明】
【図１】本発明の一実施例に係る穿孔具付きキャップの正面図である。
【図２】図１の穿孔具付きキャップの縦断面図である。
【図３】図１の穿孔具付きキャップの下面図である。
【図４】図１の穿孔部付きキャップの要部を示す正面図である。
【図５】図１の穿孔具付きキャップをチューブ容器に螺着した際の縦断面図である。
【図６】図５の装着状態から、穿孔具付きキャップが使用された状態を示す縦断面図である。
【図７】傾斜切断平面で切開かれた盲蓋の状態を示す図である。
【図８】本発明の一実施例に係る穿孔具付きキャップの作用を示す縦断面図である。
【図９】本発明の別異実施例を示す縦断面図である。
【図１０】本発明の更に別異実施例を示す断面図である。
【図１１】従来の穿孔具付きキャップの一例を示す縦断面図である。
【図１２】従来の穿孔具付きキャップの盲蓋に生じた破断線の状態を示す見取り図である。
【符号の説明】
１０ 穿孔具付きキャップ(全体)
１１ 穿孔具付きキャップを構成する大径部
１２ 穿孔具付きキャップを構成する小径部
１３ 大径部内壁の雌ネジ
１４ 小径部外壁の雄ネジ
１５ 穿孔具付きキャップを構成する天板部
１６ 穿孔具付きキャップを構成する軸部分
１７ 軸部分先端部に形成された傾斜切断平面
１８ 穿孔具付きキャップ内部の貫通路
１９ 小径部の上段部内側に位置する空所
２０ 大径部の下端域内壁のラチェット
２１ 穿孔具付きキャップの軸部分下端部の突起
２２ 穿孔具付きキャップの軸部分下端部の突起
２３ 穿孔具付きキャップの軸部分下端部の突起
３０ チューブ状容器
３１ チューブ状容器の口栓部
３２ チューブ状容器の口栓部内壁に設けられた盲蓋
３３ 盲蓋が開封された際に生じた舌片
３４ 天板部下面から下方へ伸びる軸部分の下端域(先端域)と外部との連通溝
３５ 小径部の上端域に冠装される小さなキャップ
３６ 小さなキャップ内最奥部に嵌装された断面Ｈ字型のガスケット
３７ 大径部下端とチューブ状容器の肩部との間に嵌装されるスペーサー
１１b 本発明にキャップを構成する大径部の下端域
【図１】
0003961608.tif 000002
【図２】
0003961608.tif 000003
【図３】
0003961608.tif 000004
【図４】
0003961608.tif 000005
【図５】
0003961608.tif 000006
【図６】
0003961608.tif 000007
【図７】
0003961608.tif 000008
【図８】
0003961608.tif 000009
【図９】
0003961608.tif 000010
【図１０】
0003961608.tif 000011
【図１１】
0003961608.tif 000012
【図１２】
0003961608.tif 000013